(57)【要約】【課題】  天板および頂枠がなく上方が開放された棚構造においても、棚全体の強度が確保された棚装置を提供すること。【解決手段】  左右一対の側部材２，２を設け、この両側部材２，２の対向する内側面の前後に、複数の棚板９を架設するための係止部４を設け、両側部材２，２の上部及び下部同士を連結した棚装置１において、両側部材２，２の上部同士は、内方下端側に形成した開口により両側部材の上端部に各々嵌合する左右一対の側枠１０ａと、この両側枠１０ａ，１０ａの後部同士を連結する後部枠１０ｂとを備える上部枠材１０により連結されている。【選択図】  図１
2006102114.tif 000002
【特許請求の範囲】
【請求項１】
左右一対の側部材を設け、該両側部材の対向する内側面の前後に、前記両側部材間の任意の高さ位置に複数の棚板を架設するための係止部を設け、前記両側部材の上部及び下部同士を連結した棚装置であって、前記両側部材の上部同士は、内方下端側に形成した開口により前記両側部材の上端部に各々嵌合する左右一対の側枠と、該両側枠の後部同士を連結する後部枠とを備える上部枠材により連結したことを特徴とする棚装置。
【請求項２】
前記後部枠から上部連結部材を下方に向けて突設させ、該上部連結部材の両端を前記両側部材に螺合させた請求項１に記載の棚装置。
【請求項３】
前記係止部の上部に支持部材を係止させ、該支持部材に上面が前記上部枠材の上面と略面一となる天板を載置した請求項１または２に記載の棚装置。
【請求項４】
前記上部枠材は、前記両側部材の上端面に当接する上面視コ字形の芯材と、該芯材の外側面を覆い外方に向けて突出する飾り縁材とを備え、芯材と飾り縁材とで前記開口を形成している請求項１乃至３のいずれかに記載の棚装置。
【請求項５】
前記天板は、前記芯材の内方に形成された空間に嵌合される基板と、該基板の前端を覆う飾り縁材とで構成されている請求項４に記載の棚装置。
【発明の詳細な説明】
【技術分野】
【０００１】
本発明は、左右一対の側部材を設け、該両側部材の対向する内側面の前後に、前記両側部材間の任意の高さ位置に複数の棚板を架設するための係止部を設け、前記両側部材の上部及び下部同士を連結した棚装置に関する。
【背景技術】
【０００２】
従来の棚装置は、左右一対の側部材を立設させ、それぞれの下部を四方形の底枠にボルトで連結させ、側部材の上部をボルトで四方形の頂枠に連結させて枠状に形成させたのち、両側部材間の上下方向に複数の棚板を架設させることで、複数の商品を陳列可能な構成になっている。この頂枠および底枠により、左右側部材の上部および下部が連結固定されることで棚全体の強度が確保されている（例えば、特許文献１参照）。
【０００３】
【特許文献１】実願昭５７−３７１８６号（実公昭５８−１３９９３９号公報）のマイクロフィルム（第２〜３頁、第１、２図）
【発明の開示】
【発明が解決しようとする課題】
【０００４】
しかしながら、特許文献１にあっては、例えば、天板よりも上方に突出する丈の高い商品を棚板に載置したい場合には、天板を取り外して上方を開放させ、最上部の棚板に商品を陳列させることが考えられるが、この場合、棚装置上部に設けられた頂枠が商品の載置や移動あるいは商品の交換の際に妨げになっていた。そこで、頂枠を両側部材から取り外して上方を開放する構造も考えられるが、棚装置全体の強度に問題が生じる恐れがあった。
【０００５】
本発明は、このような問題点に着目してなされたもので、天板および頂枠がなく上方が開放された棚構造においても、棚全体の強度が確保された棚装置を提供することを目的とする。
【課題を解決するための手段】
【０００６】
上記課題を解決するために、本発明の請求項１に記載の棚装置は、左右一対の側部材を設け、該両側部材の対向する内側面の前後に、前記両側部材間の任意の高さ位置に複数の棚板を架設するための係止部を設け、前記両側部材の上部及び下部同士を連結した棚装置であって、前記両側部材の上部同士は、内方下端側に形成した開口により前記両側部材の上端部に各々嵌合する左右一対の側枠と、該両側枠の後部同士を連結する後部枠とを備える上部枠材により連結したことを特徴としている。
この特徴によれば、上部枠材により両側部材の上部が連結されることから、天板がない上方が開放された棚構造においても棚全体の強度が確保され、最上段の棚板に上方に突出する丈の高い商品の載置を行え、棚の外部からの商品の識別もされ易くなる。
【０００７】
本発明の請求項２に記載の棚装置は、請求項１に記載の棚装置であって、前記後部枠から上部連結部材を下方に向けて突設させ、該上部連結部材の両端を前記両側部材に螺合させたことを特徴としている。
この特徴によれば、後部枠材に設けられた上部連結部材の両端を両側部材に螺合させたことにより、両側部材の連結強度が高められ、棚全体の強度がさらに向上する。
【０００８】
本発明の請求項３に記載の棚装置は、請求項１または２に記載の棚装置であって、前記係止部の上部に支持部材を係止させ、該支持部材に上面が前記上部枠材の上面と略面一となる天板を載置したことを特徴としている。
この特徴によれば、必要に応じて棚の上部に設けられた支持部材に天板を設けることが可能となり、支持部材に天板が載置されると、上部枠部材の上面と天板の上面とが略面一となるので見栄えも良く、通常の上方が天板で閉鎖された棚装置としても利用できる。
【０００９】
本発明の請求項４に記載の棚装置は、請求項１乃至３のいずれかに記載の棚装置であって、前記上部枠材は、前記両側部材の上端面に当接する上面視コ字形の芯材と、該芯材の外側面を覆い外方に向けて突出する飾り縁材とを備え、芯材と飾り縁材とで前記開口を形成していることを特徴としている。
この特徴によれば、芯材と飾り縁材とで開口を形成して側部材の上端に上部枠材の側部部を確実に嵌合させることができ、しかも上部枠材の左右面および背面に飾り縁材を備えることで、高級感のあるデザイン性に優れた棚を提供できる。
【００１０】
本発明の請求項５に記載の棚装置は、請求項４に記載の棚装置であって、前記天板は、前記芯材の内方に形成された空間に嵌合される基板と、該基板の前端を覆う飾り縁材とで構成されていることを特徴としている。
この特徴によれば、棚の上部に天板が取り付けられた場合でも、天板の前端に上部枠材と同様に飾り縁材が設けられることで、棚上部の外周の外観が統一され見栄えも良くなり、高級感のあるデザイン性に優れた棚装置を提供できる。
【発明を実施するための最良の形態】
【００１１】
本発明の実施例を以下に説明する。
【実施例】
【００１２】
図１は、本発明の実施例における棚装置である商品陳列棚の全体像を示す斜視図であり、図２は、商品陳列棚の分解組立斜視図であり、図３は、商品陳列棚の両側部材の連結構造を示す断面図であり、図４は、天板と棚板の取り付け過程を示す分解組立斜視図であり、図５は、図４に示される天板と棚板の取り付け完了状態を示す断面図であり、図６は、天板が取り付けられた商品陳列棚の上部を示す斜視図である。この本実施例の棚装置は、例えば、スーパー等の商品売り場に設置されており、複数の商品を数多く載置して、消費者が直に商品の取り出しを行えるようになっている商品陳列棚１に適用されている。
【００１３】
図１に示されるように、商品陳列棚１は左右に床面から上下方向に立設された側部材２が左右一対にて所定間隔離間されており、側部材２の下端部の前後に棚板１７が設けられた下部連結部材１８が連結され、側部材２の上端部に、左右の側枠１０ａおよび後方に後部枠１０ｂを備えた上面視コ字状の上部枠材１０が連結され、両側部材２，２の間の上下方向に複数（本実施例では２つの）の棚板９が設けられ、棚板１７および各棚板９に複数の商品２５が陳列されている。
【００１４】
棚板１７および各棚板９には、金属棒状のフレーム２４が四辺に設けられており、商品２５が床に落下しないように防止されている。そして上部枠材１０の形状により、商品陳列棚１には上部前方から上方に掛けて開放された空間が形成され、丈の長い商品２５であっても、最上段の棚板９に載置することが可能になっている。
【００１５】
以下、本実施例の説明において、商品陳列棚１の正面側を前方とし、商品陳列棚１の背面側を後方とし、商品陳列棚１の両側方向を左右方向として説明する。
【００１６】
商品陳列棚１の構造について詳細に説明すると、図２に示されるように、側部材２は、前後に所定間隔離間され立設された支柱３の上端部３ａが横架材７で連結固定されることで構成されている。左右の側部材２、２の向かい合う各支柱３内面側には、複数の棚板を架設するための係止部となる金属製の係止レール４が嵌合されており、この係止レール４には上下方向に複数の係止穴４ａが形成され、最上部の係止穴４ａにダボ状の支持部材５が４つ取り付けられ、他の係止穴４ａにはダボ６が上下に４つ１組で計８つ取り付けられている。
【００１７】
各支柱３の上端には螺合穴３ｃが形成されていると共に、左右方向に貫通する連結孔３ｂが形成され、同様に下端部３ｄに連結孔３ｂが上下に２つ形成されている。床に載置された前後の下部連結部材１８の左右端部には螺合穴１９ａが形成され、同様に棚板１７の左右端部の前後にも螺合穴１７ａが形成されている。
【００１８】
上部枠材１０は、側枠１０ａと後部枠１０ｂとから成り、側枠１０ａは前方が開口された上面視コ字状に形成された芯材１１と、芯材１１の外側面を覆うように形成され固着された飾り縁材１２の内、前後の支柱３，３と横架材７上に延在する部分であり、後部枠１０ｂはこの側枠１０ａの後部同士を連結した部分をいう。そして飾り縁材１２は芯材１１より下方に延びているために、両者が接合されることで内方下端側に開口Ｈが形成され、この開口Ｈが支柱３，３と横架材７の上端部を嵌合するように構成されている。芯材１１の後部枠ＲＦの下面には下方に突設するように上部連結部材１３が固着され、上部枠材１０の連結強度を高めている。
【００１９】
飾り縁材１２の外周面の全てには、上部から下方に向けて逆階段にデザイン性に優れた多段溝１２ａが形成されている。芯材１１の後方の隅部と前方にはそれぞれ上下方向に貫通する連結孔１１ａが形成され、上部連結部材１３の左右端部には螺合穴１３ａが形成されている。
【００２０】
そして、図３に示すように、２本のボルト２３を芯材１１の後方の左右連結孔１１ａを介して、後方の支柱３，３の上端部３ａの螺合穴３ｃに螺合させることにより、上部枠材１０が側部材２に連結固定され、同様にして、芯材１１は両側部材２，２前方の２本の支柱３，３にもボルト２３で連結固定される。
【００２１】
さらに、両側部材２，２の外方側面より、ボルト２３を後方の左右の支柱３，３の最上部に形成された連結孔３ｂを介して、上部連結部材１３の螺合穴１３ａに螺合させることにより、上部連結部材１３を後方の左右の支柱３間に固設し、両側部材２，２の上端部の連結強度が高めている。
【００２２】
左右の支柱３の最下部に形成された連結孔３ｂを介して、ボルト２３を下部連結部材１８の両端に形成された螺合穴１３ａに螺合させることにより、左右の支柱３，３の下端部３ｄ間に前後一対の下部連結部材１８が設けられる。
【００２３】
これにより、両側部材２，２が上部枠材１０と上部連結部材１３及び前後の下部連結部材１８によって連結固定されることで枠体が構成され、商品陳列棚１の上部および下部の連結強度の強固が高められる。また、前後の下部連結部材１８に設けられた棚板１７も両側部材２，２の外方より、ボルトを左右の支柱３，３に形成された連結孔３ｂを介して、棚板１７の端部に形成された螺合穴１７ａに螺合される。
【００２４】
このように、芯材１１と飾り縁材１２とで開口Ｈを形成して、両側部材２，２の上端に上部枠材１０の両側枠１０ａを確実に嵌合させることができ、しかも上部枠材１０の左右面および背面に多段溝１２ａが形成される飾り縁材１２を備えることで、高級感のあるデザイン性に優れた商品陳列棚１が提供される。
【００２５】
以上の説明から構成された商品陳列棚１の枠体には、図４に示されるように天板２０およびが棚板９を取り付け可能になっており、まず天板２０について具体的に説明すると、天板２０は、上面視矩形の棚板９に相当する基板２１と、基板２１の前端面２１ａを覆うように設けられた飾り縁材２２から構成されている。
【００２６】
飾り縁材２２の前端面には、上部枠材１０の飾り縁材１２の多段溝１２ａと同形状のデザイン性に優れた多段溝２２ａが形成されている。基板２１の上面前端縁には棚板９と同様の商品落下防止用のフレーム２４が設けられ、上部枠材１０の芯材１１の左右側枠１０ａおよび後部枠１０ｂにもフレーム２４が所定間隔で設けられている。
【００２７】
天板２０を商品陳列棚１に取り付けるには、図４の一点鎖線の矢印に示されるように上部枠材１０の芯材１１の内方に形成された空間方向に移動させていき、天板２０の基板２１の両側端面および後部面、飾り縁材２２の両端面を上部枠材１０の芯材１１の内側面および飾り縁材１２の両端面に摺接させながら、基板２１の下面が各支柱３の係止レール４に設けられた支持部材５に当接されるまで下方に移動させていく。
【００２８】
一方、棚板９の取り付けは、各支柱３の係止レール４に設けられたダボ６の上部位置で、商品陳列棚１の前方から後方に向かって差し入れていき、棚板９の下面がダボ６に当接されるまで下方に移動させていく。これにより、図５に示されるように、天板２０が芯材１１の内側面に嵌合された状態で左右前後に設けられた支持部材５に安定して支持され、棚板９も左右前後に設けられたダボ６に安定して支持されて取り付けが完了する。特に図示しないが他の棚板９（図１参照）も同様に取り付けられ、各棚板９上に複数の商品２５を載置できる。
【００２９】
このように、上部枠材１０に天板２０が嵌合され取り付けられると、図６に示されるように、上部枠材１０の芯材１１および飾り縁材１２の上面と、天板２０の基板２１および飾り縁材２２の上面が面一となり見栄えが良く、通常の上方が天板２０で閉鎖された棚装置としても利用できる。
【００３０】
そして、棚板９と同様に天板２０の上面に商品２５を載置可能となり、また芯材１１に設けられたフレーム２４と、天板２１の前端縁上面に設けられたフレーム２４により、商品２５の落下が防止される構造になっている。
【００３１】
なお、天板２０前面には多段溝２２ａが形成されているので、上部枠材１０の前面に形成された多段溝１２ａと横一列に各溝模様が連結され、外周面の外観が統一されることから見栄えが良くなり、高級感のあるデザイン性に優れた商品陳列棚１が構成される。
【００３２】
以上の説明により本実施例では、上部枠材１０により両側部材２，２の上部が連結されることから、天板２０がない上方が開放された商品陳列棚１の棚構造においても、棚全体の強度が確保され、最上段の棚板９に上方に突出する丈の高い商品２５の載置を行え（図１参照）、商品陳列棚１の外部からの商品２５の出し入れや識別もされ易くなる。
【００３３】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、上部枠材１０の外周に多段溝１２ａが形成された飾り縁材１２を設けることで、商品陳列棚１の上部にデザイン性を形成させたことから好ましいが、本発明はこれに限定されるものではなく、上部枠材１０に飾り縁材１２を設けない上部枠材構造にしても良く、この構造においても芯材１１および上部連結部材１３によって、両側部材２，２の上部の連結強度が変わらずに維持されることは言うまでもなく、また、他の構造の飾り縁材を芯材１１の外周に設けるようにしても良い。
【００３４】
また、上記実施例では、芯材１１の後部枠の下面に上部連結部材１３を設けることで、両側部材２，２の上部の連結強度をさらに強固に高められることから好ましいが、本発明はこれに限定されるものではなく、上部連結部材１３を設けない芯材１１のみの上部枠材１０でも良く、芯材１１と両側部材２，２のみの連結によっても、商品陳列棚１の上部の連結強度は維持され、通常の使用状態においても何ら支障をきたすことがない。
【図面の簡単な説明】
【００３５】
【図１】本発明の実施例における棚装置である商品陳列棚の全体像を示す斜視図である。
【図２】商品陳列棚の分解組立斜視図である。
【図３】商品陳列棚の両側部材の連結構造を示す断面図である。
【図４】天板と棚板の取り付け過程を示す分解組立斜視図である。
【図５】図４に示される天板と棚板の取り付け完了状態を示す断面図である。
【図６】天板が取り付けられた商品陳列棚の上部を示す斜視図である。
【符号の説明】
【００３６】
１                商品陳列棚（棚装置）
２                側部材
３                支柱
３ａ              上端部
３ｂ              連結孔
３ｃ              螺合穴
３ｄ              下端部
４                係止レール（係止部）
４ａ              係止穴
５                支持部材
６                ダボ
７                横架材
９                棚板
１０              上部枠材
１０ａ            側枠
１０ｂ            後部枠
１１              芯材
１１ａ            連結孔
１２              飾り縁材
１２ａ            多段溝
１３              上部連結部材
１３ａ            螺合穴
１６              載置台
１７              棚板
１７ａ            螺合穴
１８              下部連結部材
１９ａ            螺合穴
２０              天板
２１              基板
２１ａ            前端面
２２              飾り縁材
２２ａ            多段溝
２３              ボルト
２４              落下防止用フレーム
２５              商品
Ｈ                開口
【図１】
2006102114.tif 000003
【図２】
2006102114.tif 000004
【図３】
2006102114.tif 000005
【図４】
2006102114.tif 000006
【図５】
2006102114.tif 000007
【図６】
2006102114.tif 000008